(57)【特許請求の範囲】
【請求項１】
運輸のために使用されるあらゆる手段、機械、車両、列車、船舶、有用物を含む乗物に搭載される装置であって、サーバにより表示され更新されるメディアに関連して、乗物の周囲に視覚メディアを表示し、音声信号を送信する装置において、
前記乗物内または前記乗物上に搭載され、前記乗物の外周に視覚メディア・コンテンツを表示し、前記乗物の利用者が視聴可能な角度又は好ましい角度で表示するように調整することができる映写機であって、同一の映写のために使用することができ、その主な目的は、１台の前記映写機のスイッチを切り、もう１台の映写機のスイッチを入れて同じ場所で映写することにより前記映写機が過熱しないようするまたは連続使用後に故障しないようにすることであり、すべての映写機を運転停止するのではなく、そのランプのみスイッチオフ／オンすることができ、すべての映写機をオフ／オンすることなく、映写機を迅速に起動および停止させることができ、前記乗物に搭載され、送信する視覚メディアおよび音声メディアを格納しているローカルサーバに接続されている映写機と、
視覚メディア、音声メディア、保守報告、バグ報告、リッチサイトサマリ（ＲＳＳ）フィード、およびその他必要な更新データなどのデータを格納する役割および機能を果たすローカルサーバであって、当該ローカルサーバがケーブル接続または無線接続を使用して前記映写機、音声装置、センサーおよびその他の電気装置との間でデータを送受し、関連データを送受し、１箇所からローカルサーバを制御できるようにするセントラルサーバと協働するローカルサーバと、
前記映写機の視覚投影のためのスクリーンを使用することなく装置が機能するようなスクリーンとしての周辺部であって、前記乗物を取り囲む壁又はその他の物を含む周辺部と、
携帯電話機などの個人電気装置で乗客が使用している無線技術を使用して、前記ローカルサーバからの音声信号を前記乗客に無線送信し、前記乗客が表示中の前記視覚メディアに関する音声を受信できる無線音響装置と、
前記ローカルサーバからデータを送受する通信装置として作用し、前記乗物に搭載されている前記ローカルサーバから放送されるメディアを転送する主な役割を有し、前記ローカルサーバから保守関連事項のデータを受信するセントラルサーバと、
前記乗物の路線に沿って配置されて、前記乗物に搭載された前記ローカルサーバまたは前記セントラルサーバと通信するタグであって、前記乗物の前記路線沿いのタグの地理的場所に基づいて、前記ローカルサーバまたは前記セントラルサーバが前記地理的場所に関する適切なメディアを放送し、当該タグが前記乗物の線路または路線に沿って配置されるセンサーおよび前記乗物それ自体を具え、前記センサーが前記線路または路線上の前記乗物の移動および現在位置を記録し、前記ローカルサーバまたは前記セントラルサーバと通信してこれらのサーバに表示中の前記メディアを適合および変更させ、動作感知センサー、光感知センサー、光反射センサーを含む種々のセンサーを具える、タグと、
前記映写機または前記映写機ランプのオン／オフを切り替える、または前記セントラルサーバ、前記ローカルサーバまたは前記映写機と通信して前記映写機をスイッチオン／オフするオン／オフセンサーであって、当該オン／オフセンサーが前記乗物の路線上、前記乗物自体の上、または搭載された他の乗物の上に配置され、乗物がこのオン／オフセンサーを通過するときに映写機を切断し、機械式または光式センサー、動作感知センサー、光感知センサー、光反射センサー、及びスイッチを含む様々な種類のセンサーを具える、オン／オフセンサーとを具え、
前記ローカルサーバまたは前記セントラルサーバは、前記メディアが放送されている特定の時刻に基づく時間固有コンテンツを放送することを特徴とする装置。
【請求項２】
請求項１に記載の装置が更に、前記乗物の現在位置を表示するＧＰＳ測定メカニズムを具え、予め設定されている座標に基づいて、前記ローカルサーバまたは前記セントラルサーバと通信して、前記乗物の位置およびＧＰＳ座標に従ってメディア装置の始動または停止、または視覚メディア・コンテンツの再生を行うことを特徴とする装置。
【請求項３】
請求項１に記載の装置が更に、ＧＰＳ接続がなされていないが、一定不変の線路／路線の場所において、前記乗物が前記線路上で移動した距離と比較した前記線路の合計長の測定値に従って、メディア装置の始動または停止、または視覚メディア・コンテンツの再生を行う線路長測定メカニズムを具えることを特徴とする装置。
【請求項４】
請求項１に記載の装置が更に、乗客を含む前記乗物の利用者が使用し、当該乗物の利用者が放送中の媒体に接続することができるようにするＩＤ装置を具え、一の利用者が、前記乗物に乗り込んだときに、座席の情報を前記ローカルサーバまたは前記セントラルサーバに送り、当該利用者の選択に基づいて、メディア／音声を視覚メディアとして受信することを特徴とする装置。
【請求項５】
請求項１に記載の装置が更に、利用者の選択、旅行時間、出発地および目的地を含む種々の変数に基づいて前記映写機または表示中の視覚メディアを複数の利用者が共用できるようにするためのシステムを具えるＩＤ装置を具え、利用者の選択、旅行時間、出発地および目的地に基づいて、前記前記セントラルサーバまたは前記ローカルサーバが、前記利用者間で共用される前記メディア・コンテンツを示すことを特徴とする装置。
【請求項６】
請求項１に記載の装置が更に、前記乗物上のローカルサーバから認証を受けた担当者によって前記乗物上のローカルサーバを手動で更新する装置を具え、当該認証を受けた担当者が、プレイリスト統計及び保守状態を含むメディア装置に関する情報データをダウンロードすることを特徴とする装置。
【請求項７】
請求項１に記載の装置が更に、前記乗物上のすべてのメディア装置とセントラルサーバ間でデータコンテンツを配信する分配装置に前記セントラルサーバが直接データコンテンツを送受信できるようにしたダイレクトセントラルサーバを具え、前記データコンテンツが、前記セントラルサーバから、分配装置へワイヤレスで送受信され、当該分配装置が前記データコンテンツを、映写機と無線音声装置を含む前記メディア装置へ更に送受信することを特徴とする装置。
【請求項８】
請求項７に記載の装置が更に、前記セントラルサーバが単一の分配装置にデータを送受信し、当該単一の分配装置が前記データを前記乗物上のすべての前記ローカルサーバに分配するように、前記データを送受信するダイレクトセントラルサーバを具えることを特徴とする装置。
【請求項９】
請求項７に記載の装置において、前記ダイレクトセントラルサーバが固有のＩＤを具えており、それにより固有のＩＤをもつ各乗物用に単一のデータ・ライン接続の使用が可能となり、前記乗物上の前記分配装置が、特定のメディア装置の固有ＩＤに基づいて各メディア装置に固有のデータをその前記セントラルサーバとの間で送受信することを特徴とする装置。
【請求項１０】
請求項１に記載の装置が更に、前記映写機、前記サーバ、前記センサーおよびその他の電子・電気構成部品および装置を保護し、その使用を実現しうる筐体であって、システム性能の品質を低下させ、システムを故障させる状態から前記電子・電気構成部品および装置を保護する筐体を具え、
前記筐体が、前記構成部品の故障を回避するために、筐体内部の前記構成部品を保冷する冷蔵庫または冷却要素などの冷却システムを具え、
前記筐体が更に、前記構成部品の故障を回避する加熱要素を具え、
前記筐体内のサーモスタットを用いて、前記筐体内の加熱または冷却機構を制御するとともに、前記サーモスタットは、手動で又は自動的に前記セントラルサーバまたは前記ローカルサーバから作業者が調整することができることを特徴とする装置。
【発明の詳細な説明】
【技術分野】
【０００１】
本発明は、一般的に列車または地下鉄列車のような乗物内の乗客にその乗物を取り囲む壁またはその他の物の上に表示されるメディア・コンテンツを視聴する可能性を与えること、およびその音声を無線信号としてＦＭ受信機などの個人装置により受信することに関する。
乗物という用語は、この明細書全体を通じてこの時点より、陸上、水上、空中のいずれであるか、また、乗客搭載用であるか否かに関係なく、運輸のために使用される手段、機械、車両、列車、船舶、船、航空機、および任意の有用物を指す総括的な用語として使用する。
【背景技術】
【０００２】
本発明は、外側にまたは内側から映写機が搭載された移動乗物であって、視覚メディア・コンテンツを乗物の周囲に投射することにより表示する一方、表示されるメディア・コンテンツに関する音声をその乗物の利用者に無線で放送し、利用者が無線受信機を使用してその音声を受信することができるように構成される乗物に関して記述する。
【０００３】
乗客が乗物、たとえば、輸送乗物、地下鉄列車、船舶により運ばれるとき、その乗物の壁または周囲上のメディア・コンテンツを見ることが望ましい。本発明の数多くの特徴は、乗客、乗物のオペレーターおよびメディア放送者による本発明およびその機能の簡便かつ容易な利用を可能にする。
【０００４】
今日、映写機は使用されているが、トンネルを通過する列車のような移動中の乗物の壁または周囲にメディア・コンテンツを表示するためにこれまでに映写機が使用されたことはない。その壁は、これまで販売促進、情報提供またはマーケティング目的のメディア・コンテンツのために利用できなかった。これは、交通を遅延させることなく、どのような形式であれ広告またはメディアをトンネル内に掲示または維持することが困難であること、あるいはこの形式の広告に関連するその他の困難のためである。エコー・ライト・コンプレックスにより、それがいまや可能となり、容易になる。ここで言及するべき重要なことは、エコー・ライト・コンプレックスは乗物の現存周囲をその投射場所として使用するので、本発明およびその稼働領域と機会が拡大され、今日知られている大部分の輸送分野において機能することが可能になることである。
【０００５】
この発明の着想および成果は、メディアを放送すること、広告すること、または乗物の利用者または乗客に情報を提供すること、および同時にこれらの種類のプロジェクトに関連する遅延および維持費用を最小にすることである。
【発明の概要】
【０００６】
本発明は、乗物に搭載され、その乗物の周囲にメディア・コンテンツを表示し、かつ、無線音声信号をその乗物の乗客または利用者に送信する映写機を提供する。この無線音声信号は、短距離ＦＭまたはその他の市販無線送信機により送信される。この無線信号は、次にこの乗物の利用者によりその無線受信機を使用して受信される。たとえば、乗客は自分の携帯電話機のＦＭラジオを使用することができる。
【０００７】
特筆に値することは、このシステムの利用方法、用途および有用性を犠牲にすることなく、このシステムを確実かつ良好に働く最新式のシステムとし、乗客、乗物の運用者およびメディア放送者による十分な制御および個人的好みの選択を可能な限り可能にするために多くの措置が講じられていることである。
【図面の簡単な説明】
【０００８】
【図１】図１は、列車に搭載された映写機の例である。これは、列車の窓の上に搭載された映写機の側面図を示している。この映写機は、列車の周囲に視覚メディア・コンテンツを表示し、列車の車内の乗客からそれが見えるようにする。
【図２】図２は、列車の周囲に視覚コンテンツを表示する映写機の例である。これは、列車を正面からみた図である。
【発明を実施するための形態】
【０００９】
映写機
乗物に搭載される映写機
ここでは、乗物という用語は、この明細書全体を通じてこの時点より、陸上、水上、空中のいずれであるか、また、乗客搭載用であるか否かに関係なく、運輸のために使用されるあらゆる手段、機械、車両、列車、船舶、船、航空機、および任意の有用物を指す総括的な用語として使用する。乗物に搭載され、その乗物の周囲に視覚メディア・コンテンツを表示する映写機。乗物に搭載されるこの映写機は、すべての角度（Ｘ，Ｙ，Ｚ）に表示することができ、かつ、可能な角度または乗物の利用者により好まれる角度で表示するように調整することができる。
【００１０】
複数の映写機を同じ映写のために使用することができる。その主な目的は、１台の映写機のスイッチを切り、他の映写機が同じ場所で映写を引き継ぐことにより映写機が過熱しないようすること、または連続使用のために故障しないようにすることである。
【００１１】
これらの映写機は、映写機全体を運転停止するのではなく、そのランプのみをスイッチオン／オフさせることができ、それにより映写機全体をオン／オフすることなく、映写機を迅速に起動／停止させることができる。
【００１２】
ローカルサーバ
これらの映写機は、乗物に搭載されるローカルサーバに接続される。ローカルサーバは、送信される視覚および音声のメディアを格納する。
【００１３】
ローカルサーバは、視覚メディア、音声メディア、保守報告、バグ報告、ＲＳＳフィード、およびその他の必要な更新情報などのデータを格納する役割および機能を果たす。ローカルサーバは、ケーブル接続または無線接続を使用して映写機、音声装置、センサーおよびその他の必要な装置との間でデータを送受する。ローカルサーバは、セントラルサーバと連携する。セントラルサーバは、上述の例のような関連データを送受し、かつ、複数のローカルサーバを１箇所から制御することを可能にする。
【００１４】
無線音声
無線音声装置は、ローカルサーバから音声信号を受信し、これを乗客により使用されており、乗客の個人用装置たとえば携帯電話機およびＦＭ受信機上で利用な可能な無線技術たとえばＢｌｕｅｔｏｏｔｈまたはＦＭまたはその他の無線技術を使用して乗客に無線で送信することにより、表示視覚メディアに関する音声の乗客による受信を可能にする。
【００１５】
筐体
筐体を使用することにより、露出状態の映写機、サーバ、センサーおよびその他の電子・電気構成部品および装置を保護し、実現し得る最高の結果で使用できる。これは、これらの電子的・電気構成部品および装置を風、雨、雪、暑熱、温暖な気象、寒冷な気象、蒸気、ほこりおよび大気中微粒子、油粒子、破壊行為、盗難などの状態（これらは、最善の場合でもシステム性能の品質を低下させ、最悪の場合にはシステムを故障させる）から守るために使用される。
【００１６】
筐体は、乗物の外側に配置する必要がある電気・電子構成部品および装置の一般的な保護物として機能する。必要な場合、最高の機能を達成し、かつ、それらの構成部品の故障を回避するために、筐体を変更して筐体内の構成部品を保冷する冷蔵庫または冷却要素などの冷却システムを備えることができる。筐体内の構成部品の最高の機能を達成し、かつ故障を回避するために、筐体を変更して加熱要素を備えることもできる。筐体内サーモスタットを使用して筐体内の加熱または冷却機構を制御することができる。サーモスタットは、手動的に、自動的にまたはサーバのモデルに応じて、セントラルサーバまたはローカルサーバからオペレーターにより調整することができる。
【００１７】
筐体は、個々の乗物およびその地理的周囲の必要に応じて種々の材料から種々の形状および寸法で製造される。
【００１８】
スクリーンとしての周囲
この発明全体は、視覚投影のためのスクリーンを使用することなく、機能する。その代わりに、映写機からの映像は、乗物の周りの現存施設または乗物の現存周囲に投射される。スクリーンを設置する措置は講じない。それは、複雑であり、高価であり、ほとんどの場合危険であり、多くの場合、その実現は非現実的であるからである。
【００１９】
表示される映像は、前述したように、乗物にとって自然のままの現存周囲上に投射される。そして乗物は移動するので、それは時として周囲のでこぼこした自然の表面にさえ投射される。
【００２０】
セントラルサーバ
セントラルサーバは、無線によりまたは場合により有線によりローカルサーバとの間でデータを送受する連絡装置として働く。その主な役割は、乗物に搭載されているローカルサーバから放送されるメディアを転送することである。それは、たとえば、ローカルサーバと映写機間の接続が途切れた場合に、ローカルサーバから保守者関連問題のデータも受信する。
【００２１】
オン／オフ・センサー
オン／オフ・センサーの主な目的は、映写機または映写機ランプを必要に応じてスイッチオン／オフすることである。たとえば、映写機が乗物に搭載されており、そして駅に到着したとき、乗客の眼に直接投射しないようにするために映写機をオフにし、次に列車乗物が駅を出たとき再度オンにする必要がある。オン／オフ・センサーは、乗物列が通過するときにオフにするために乗物の路線上、その乗物自体の上、または他の乗物の上に配置することができる。オン／オフ・センサーは、実際の必要に基づいて種々の種類のセンサー、たとえば、動作感知センサー、光感知センサー、光反射センサーなどとすることができる。
【００２２】
タグ
乗物に搭載されているローカルサーバまたはセントラルサーバと通信するタグは、乗物の路線に沿って配置できる。そしてタグの地理的配置に基づいて、ローカルサーバは、その地理的地域に適切なメディアを放送する。タグは、乗物の線路または路線に沿って配置されるセンサーおよび乗物それ自体に基づいており、線路または路線上の乗物の移動および現在位置を認識し、これをローカルサーバまたはセントラルサーバに通知してこれらのサーバに表示中のメディアを適合・変更させる。これらのタグは、実際の必要に基づいて種々の種類のセンサー、たとえば、動作感知センサー、光感知センサー、光反射センサーなどとすることができる。
【００２３】
時間固有メディア
ローカルサーバまたはセントラルサーバは、メディア装置に直接接続されている場合、メディアが放送される特定の時刻に基づく時間固有コンテンツを放送することができる。
【００２４】
無線接続、ダイレクトセントラルサーバおよび同一乗物上の複数のローカルへのダイレクトセントラルサーバおよび固有受信機ＩＤをもつ同一乗物上の複数ローカルへのダイレクトセントラルサーバ
セントラルサーバから乗物上のローカルサーバへ無線により転送されるデータ量およびデータ・ラインを低減する最も容易かつ現在コスト効率的な方法は、望ましくはセントラルサーバとメディア装置間の接続をローカルサーバ経由とし、このローカルサーバから、システムの正常な動作のためにデータを送受しなければならない映写機、無線音声装置およびその他の装置などのメディア装置に信号を分配することである。
【００２５】
データを送受するもう１つの方法は、ダイレクトセントラルサーバモデルである。
【００２６】
ダイレクトセントラルサーバモデルは、セントラルサーバが分配装置との間で直接にデータを送受することを可能にする。分配装置は、次に乗物上のすべてのメディア装置およびセントラルサーバ間にそのデータを分配する。
【００２７】
ダイレクトセントラルサーバモデルは、さらに、固有のＩＤを含むように変更することができる。このモデルは、各乗物およびその乗物上の分配装置のために単一のライン接続を使用するが、それは分配装置が特定のメディア装置の固有ＩＤに基づいて固有のデータを各メディア装置に送ることを可能にするという相違がある。
【００２８】
速度上、また、発達し続ける無線インターネット接続に注目すると、データ用複式接続ラインに基づいて各メディア装置に対する直接接続を行うことが可能であり、これによりメディア装置はセントラルサーバから独自にデータを送受することができる。
【００２９】
ローカルサーバの手動更新
乗物上のサーバを更新するもう１つの方法は、手動更新モデルである。この場合、ローカルサーバは、公認された担当者により乗物上のローカルサーバから手動により更新される。
【００３０】
担当者は、寸劇統計、保守状態等のメディア装置に関する情報データを手動によりダウンロードすることもできる。
【００３１】
外部ネットワーク
乗物が地域間を通過しているときまたはセントラルサーバとローカルサーバ間の接続が不良または高価であるかまたは存在しない状態にあるとき、延長ネットワーク解決法が望ましい場合がある。延長は、セントラルサーバへの接続が利用できるところで乗物上のローカルサーバ上の必要なデータを更新し、そしてその移動を続ける。再びセントラルサーバの接続の範囲内にあるとき、それは再び更新する。これは、乗物がセントラルサーバ接続の範囲内にあるときに自動的に開始されるようにするか、または特定の領域内において特定のネットワークに対して更新されるように事前にプログラムすることができる。
【００３２】
ＧＰＳおよび線路亘長測定メカニズム
エコー・ライト・コンプレックスが使用される一部の地域において、タグおよびオン／オフ・センサーの使用が困難である場合がある。このような場合、本発明が機能を果たすためにＧＰＳまたは線路亘長測定メカニズム・システムが好ましいかまたは必要になることがある。
【００３３】
ＧＰＳ測定システムを使用して乗物の現在位置を指示し、かつ、予め設定されている座標に基づいてローカルサーバまたはセントラルサーバに対し乗物の位置およびＧＰＳ座標に従ってメディア装置のオン／オフ、またはメディア・コンテンツの再生を行うよう伝えることができる。
【００３４】
同様に、線路亘長測定メカニズムは、ＧＰＳ接続は存在しないがしかし変更されない一定不変の線路／路線の場所において、乗物がこれまでに線路上で移動した距離と比較された線路の合計長の測定値に従って、メディア装置のオンとオフ、またはメディア・コンテンツの再生を行うことができる。
【００３５】
ＩＤ
ＩＤ装置は、乗物の利用者たとえば乗客が使用できる装置である。それは利用者が放送中の媒体に接続することを可能にする。利用者は、乗物に乗り込んだときに、自分の使用する座席の情報をローカルサーバまたはセントラルサーバに与えることができ、続いて自分の選択に基づいて視覚メディアとしてのメディア、音声を受信できる。
【００３６】
かかる選択の内容は、希望座席または利用者が見たいコンテンツの映写機、出発地および目的地、乗物利用時間とすることができる。事前に決められた利用者の選択に基づいて、表示されるメディアは、利用者が乗物に乗っている時間中、利用者の選択に適合するように調整することができる。さらに、利用者は、ローカルサーバ上の自分の個人事前選択を更新することにより自分の事前の選択を一時的にも永続的にも変更することができる。
【００３７】
利用者は、乗物に乗り込んだときに、セントラルサーバまたはローカルサーバに手動で接続するか、または自動的に接続するか、または両方とするか個人の事前選択に基づいて選択することができる。
【００３８】
利用者は、たとえば携帯電話機、ＰＣ、スマートフォン等の個人電気装置を使用してセントラルサーバまたはローカルサーバに接続し、ＩＤ機能を利用して自分の個人的選択に基づいてメディアを視聴することができる。
【００３９】
ＩＤ機能のための利用者およびその個人電子装置とセントラルサーバまたはローカルサーバ間の接続は利用者の個人電気装置により設定され、それによりセントラルサーバまたはローカルサーバは利用者の入力によりまたは自動的に識別される利用者の居場所に利用者の個人的選択に従ってメディアを放送することができる。
【００４０】
利用者は、自分の個人アカウントからインターネット経由または自分の個人装置を使用して自分の個人的選択を追加、更新および変更することができる。
【００４１】
ＩＤイーブン
ＩＤイーブンは、複数の利用者が種々の変数、たとえば利用者の選択、旅行時間、出発地および目的地に基づいて映写機または表示される視覚メディアを共用することを可能にするシステムである。
【００４２】
セントラルサーバまたはローカルサーバは、次にこれらの変数に基づいてメディア・コンテンツを上映し、それが利用者間で公平に共用される。それは、一例として、同一メデイアの放送者の利用を選択した利用者の人数、それらの利用者の旅行時間および個人的選択に基づいて、これらの点に関して調整されたメディア・コンテンツを表示する。
【図１】
0005531221.tif 000002
【図２】
0005531221.tif 000003